(57)【特許請求の範囲】
【請求項１】
表面メッシュ層と裏面メッシュ層とを有すると共に、該表面メッシュ層と裏面メッシュ層とが多数のパイルで結合されて構成された三次元構造のネット材と、該ネット材の周縁に形成される端末部を支持する端末部係止部材とを有するネット材を用いた構造体であって、前記端末部係止部材が、前記端末部が挿入される挿入用間隙を形成する係止片を備え、前記ネット材の端末部の少なくとも一部が、該端末部の内側に位置する部位よりもネット組織の密度が密で、高い剛性となるように処理され、該端末部の少なくとも片面に突起が設けられ、該突起が、前記端末部係止部材の挿入用間隙内に突出するように設けた爪部よりも奥に位置するまで挿入されて係止されていることを特徴とするネット材を用いた構造体。
【請求項２】
表面メッシュ層と裏面メッシュ層とを有すると共に、該表面メッシュ層と裏面メッシュ層とが多数のパイルで結合されて構成された三次元構造のネット材と、該ネット材の周縁に形成される端末部を支持する端末部係止部材とを有するネット材を用いた構造体であって、前記端末部係止部材が、前記端末部が挿入される挿入用間隙を形成する係止片を備え、前記ネット材の端末部の一部が、該端末部の内側に位置する部位よりもネット組織の密度が密で、高い剛性となるように処理され、前記ネット材の端末部の他の部位に、熱溶着手段により合成樹脂片が固着され、これらの端末部が前記端末部係止部材の挿入用間隙に挿入されることにより係止されていることを特徴とするネット材を用いた構造体。
【請求項３】
請求項２記載の構造体であって、ネット組織の密度が密で、高い剛性となるように処理された前記端末部の少なくとも片面に突起が設けられ、該突起が、前記端末部係止部材の挿入用間隙内に突出するように設けた爪部よりも奥に位置するまで挿入されて係止されていることを特徴とするネット材を用いた構造体。
【請求項４】
請求項１〜３のいずれか１に記載の構造体であって、前記端末部係止部材の挿入用間隙の挿入口が、前記ネット材を前記係止片の外面に接するように配置した際に、前記端末部を内側に折り返して挿入できる向きに設けられていることを特徴とするネット材を用いた構造体。
【請求項５】
請求項２又は３記載の構造体であって、ネット組織の密度が密で、高い剛性となるように処理された前記端末部が、発生する応力の小さい側の端末部係止部材に係止され、合成樹脂片が固着された前記端末部が、発生する応力の大きい側の端末部係止部材に係止されていることを特徴とするネット材を用いた構造体。
【請求項６】
請求項１〜５のいずれか１に記載の構造体であって、前記端末部が、熱溶着手段によって厚みを薄くすることにより、ネット組織の密度が密で、高い剛性となるように処理されていることを特徴とするネット材を用いた構造体。
【請求項７】
請求項６記載の構造体であって、前記端末部が、予め、ネット組織の密度が密となるように編み込まれた後、前記熱溶着手段が施されていることを特徴とするネット材を用いた構造体。
【請求項８】
請求項２、３及び５〜７のいずれか１に記載の構造体であって、前記熱溶着手段が振動溶着手段であることを特徴とするネット材を用いた構造体。
【請求項９】
請求項１〜８のいずれか１に記載の構造体から構成されることを特徴とするシート。
【請求項１０】
請求項２、３及び５のいずれか１に記載の構造体から構成されるシートであって、前方に配置されたフレームに連結された端末部係止部材に、ネット組織の密度が密で、高い剛性となるように処理された前記端末部が係止され、後方に配置されたフレームに連結された端末部係止部材に、合成樹脂片が固着された前記端末部が係止されていることを特徴とするシート。
【請求項１１】
請求項１０記載のシートであって、さらに、側方に配置されたフレームに連結された端末部係止部材に係止される端末部を、ネット組織の密度が密で、高い剛性となるように処理すると共に、突起を形成した後、係止させていることを特徴とするシート。
【請求項１２】
表面メッシュ層と裏面メッシュ層とを有すると共に、該表面メッシュ層と裏面メッシュ層とが多数のパイルで結合されて構成された三次元構造のネット材のうち、その周縁に形成される端末部を、被係止部材に係止するため、予め、ネット組織の密度が密となるように編んだ後、熱溶着手段によって厚みを薄くすることにより、該端末部の内側に位置する部位よりもネット組織の密度が密で、高い剛性となるように処理することを特徴とするネット材の端末部処理方法。
【請求項１３】
請求項１２記載の端末部処理方法であって、前記端末部を熱溶着する際、厚み方向に突出する突起を形成することを特徴とするネット材の端末部処理方法。
【請求項１４】
請求項１２又は１３記載の端末部処理方法であって、前記熱溶着手段が振動溶着手段であることを特徴とするネット材の端末部処理方法。
【発明の詳細な説明】
【０００１】
【発明の属する技術分野】
本発明は、三次元構造のネット材を用いた構造体、この構造体からなるシート及びネット材の端末部処理方法に関する。
【０００２】
【従来の技術】
クッション性の良いシート、例えば自動車の車両用シート等は、通常、シートフレーム上にコイルばね、Ｓ型ばね等のばね材を配設した上で、さらにウレタン等からなるパッド材を設け、その表面をビニールレザーや布地等で覆って形成している。しかしながら、このようにして形成したシートは、ばね材を含めた全体の厚みが厚く、また、重量もある。また、パッド材に通気孔を形成するなど、特殊な機構を採用したものを除き、一般的には通気性も良くない。通気を確保するための特殊な機構を採用したものは、製造コストが高いという問題がある。
【０００３】
上記した点を改善するシートとして、表面メッシュ層と裏面メッシュ層との間を多数のパイルで連結し、トラス構造（三次元構造）にしたネット材を用いたものが知られている。トラス構造であるため、へたりにくい弾性構造物となっており、体圧の分散及び吸収特性に優れている。従って、薄型でも大きなクッション性を発揮できる。しかも、ネット構造であるため、多数の空隙を有しており何ら特別の機構を採用しなくても通気性に優れている。
【０００４】
【発明が解決しようとする課題】
三次元構造のネット材は上記のような特徴を有するものの、多数の空隙を有することのほか、表面メッシュ層と裏面メッシュ層の厚みにさらにパイルの高さが加わってそれ相応の厚みを有することから、これをフレームに確実に固着することが難しい。従来、図１２に示したように、ネット材１００の端末部１０１に、合成樹脂片や鉄板片１０２を熱溶着手段の一種である振動溶着法を用いて溶着した後、スクリューねじ１０３を用いて、フレーム１０４に固定しているのが一般的である。
【０００５】
しかしながら、上記手段は、結局のところ、スクリューねじ１０３による点締結であるため、シートのクッション材として用いられるネット材１００に人が着座するなどして荷重が加わった場合、スクリューねじ１０３によって締結されている部分の合成樹脂片や鉄板片１０２に大きな応力が生じる。従って、この合成樹脂片や鉄板片１０２が変形したり、ネット材１００が破損したりする可能性があり、このため大きな荷重をかけにくい。また、スクリューねじ１０３によって締結しなければならないため、組み付け作業が繁雑になり、そのためのコストも高くつく。
【０００６】
本発明は上記事情に鑑みなされたものであり、スクリューねじを用いた場合のようにネット材に局部的な無理が生じることを防止し、ネット材の信頼性を高めることができると共に、組み付け作業が容易で、作業コストも従来より低くすることができ、車両用シート等として用いるのに適する三次元構造のネット材を用いた構造体、この構造体からなるシート及びネット材の端末部処理方法を提供することを課題とする。
【０００７】
【課題を解決するための手段】
上記課題を解決するため、本発明は、以下の構造体及びシートを提供する。
【０００８】
（１）表面メッシュ層と裏面メッシュ層とを有すると共に、該表面メッシュ層と裏面メッシュ層とが多数のパイルで結合されて構成された三次元構造のネット材と、該ネット材の周縁に形成される端末部を支持する端末部係止部材とを有するネット材を用いた構造体であって、前記端末部係止部材が、前記端末部が挿入される挿入用間隙を形成する係止片を備え、前記ネット材の端末部の少なくとも一部が、該端末部の内側に位置する部位よりもネット組織の密度が密で、高い剛性となるように処理され、該端末部の少なくとも片面に突起が設けられ、該突起が、前記端末部係止部材の挿入用間隙内に突出するように設けた爪部よりも奥に位置するまで挿入されて係止されていることを特徴とするネット材を用いた構造体。
【０００９】
（２）表面メッシュ層と裏面メッシュ層とを有すると共に、該表面メッシュ層と裏面メッシュ層とが多数のパイルで結合されて構成された三次元構造のネット材と、該ネット材の周縁に形成される端末部を支持する端末部係止部材とを有するネット材を用いた構造体であって、前記端末部係止部材が、前記端末部が挿入される挿入用間隙を形成する係止片を備え、前記ネット材の端末部の一部が、該端末部の内側に位置する部位よりもネット組織の密度が密で、高い剛性となるように処理され、前記ネット材の端末部の他の部位に、熱溶着手段により合成樹脂片が固着され、これらの端末部が前記端末部係止部材の挿入用間隙に挿入されることにより係止されていることを特徴とするネット材を用いた構造体。
【００１０】
（３）前記（２）記載の構造体であって、ネット組織の密度が密で、高い剛性となるように処理された前記端末部の少なくとも片面に突起が設けられ、該突起が、前記端末部係止部材の挿入用間隙内に突出するように設けた爪部よりも奥に位置するまで挿入されて係止されていることを特徴とするネット材を用いた構造体。
【００１１】
（４）前記（１）〜（３）のいずれか１に記載の構造体であって、前記端末部係止部材の挿入用間隙の挿入口が、前記ネット材を前記係止片の外面に接するように配置した際に、前記端末部を内側に折り返して挿入できる向きに設けられていることを特徴とするネット材を用いた構造体。
【００１２】
（５）前記（２）又は（３）記載の構造体であって、ネット組織の密度が密で、高い剛性となるように処理された前記端末部が、発生する応力の小さい側の端末部係止部材に係止され、合成樹脂片が固着された前記端末部が、発生する応力の大きい側の端末部係止部材に係止されていることを特徴とするネット材を用いた構造体。
【００１３】
（６）前記（１）〜（５）のいずれか１に記載の構造体であって、前記端末部が、熱溶着手段によって厚みを薄くすることにより、ネット組織の密度が密で、高い剛性となるように処理されていることを特徴とするネット材を用いた構造体。
【００１４】
（７）前記（６）記載の構造体であって、前記端末部が、予め、ネット組織の密度が密となるように編み込まれた後、前記熱溶着手段が施されていることを特徴とするネット材を用いた構造体。
【００１５】
（８）前記（２）、（３）及び（５）〜（７）のいずれか１に記載の構造体であって、前記熱溶着手段が振動溶着手段であることを特徴とするネット材を用いた構造体。
【００１６】
（９）前記（１）〜（８）のいずれか１に記載の構造体から構成されることを特徴とするシート。
【００１７】
（１０）前記（２）、（３）及び（５）のいずれか１に記載の構造体から構成されるシートであって、前方に配置されたフレームに連結された端末部係止部材に、ネット組織の密度が密で、高い剛性となるように処理された前記端末部が係止され、後方に配置されたフレームに連結された端末部係止部材に、合成樹脂片が固着された前記端末部が係止されていることを特徴とするシート。
【００１８】
（１１）前記（１０）記載のシートであって、さらに、側方に配置されたフレームに連結された端末部係止部材に係止される端末部を、ネット組織の密度が密で、高い剛性となるように処理すると共に、突起を形成した後、係止させていることを特徴とするシート。
【００１９】
本発明は、さらに以下のネット材の端末部処理方法を提供する。
【００２０】
（１２）表面メッシュ層と裏面メッシュ層とを有すると共に、該表面メッシュ層と裏面メッシュ層とが多数のパイルで結合されて構成された三次元構造のネット材のうち、その周縁に形成される端末部を、被係止部材に係止するため、予め、ネット組織の密度が密となるように編んだ後、熱溶着手段によって厚みを薄くすることにより、該端末部の内側に位置する部位よりもネット組織の密度が密で、高い剛性となるように処理することを特徴とするネット材の端末部処理方法。
【００２１】
（１３）前記（１２）記載の端末部処理方法であって、前記端末部を熱溶着する際、厚み方向に突出する突起を形成することを特徴とするネット材の端末部処理方法。
【００２２】
（１４）前記（１２）又は（１３）記載の端末部処理方法であって、前記熱溶着手段が振動溶着手段であることを特徴とするネット材の端末部処理方法。
【００２３】
【発明の実施の形態】
以下、図面に示した実施の形態に基づいて本発明を更に詳しく説明する。図１は、本実施の形態にかかる構造体を構成するネット材１０の一部を示す断面図である。この図に示すように、このネット材１０は、表面メッシュ層１１、裏面メッシュ層１２及び該表面メッシュ層１１と裏面メッシュ層１２とを結合する多数のパイル１３とを有する立体的なトラス構造（三次元構造）から構成されている。
【００２４】
表面メッシュ層１１は、例えば、図２に示したように、細い糸を撚った撚糸から、ハニカム状（六角形）のメッシュを有する構造に形成され、裏面メッシュ層１２は、図３に示したように、細い糸を撚った撚糸をゴム編みにして形成され、表面メッシュ層１１のハニカム状のメッシュよりも小さなメッシュ（細目）を有する構造に形成されている。パイル１３は繊維又は糸で形成し、表面メッシュ層１１と裏面メッシュ層１２とが所定の間隔を保持するように、該表面メッシュ層１１と裏面メッシュ層１２との間に編み込んだもので、この立体メッシュニットとなっているネット材１０に所定の剛性を付与している。なお、本実施の形態では、ハニカム状のメッシュを有する層を表面（例えば、シートのクッション材として用いた場合に人体に接する面）としているが、これを裏面とし、小さなメッシュを有する層を裏面として使用することもできる。また、後述の表１で示したように、このメッシュ層組織としてはハニカム状や細目以外のメッシュ形状を採用することももちろん可能である。
【００２５】
ネット材１０を構成する材料としては熱可塑性樹脂が好ましく、繊維状に成形可能で、織物にした際にシート地として要求される強度を発揮できるものであればよい。例えば、ポリエチレンテレフタレート（ＰＥＴ）、ポリブチレンテレフタレート（ＰＢＴ）などに代表される熱可塑性ポリエステル樹脂類、ナイロン６、ナイロン６６などに代表されるポリアミド樹脂類、ポリエチレン、ポリプロピレンなどに代表されるポリオレフィン樹脂類、あるいはこれらの樹脂を２種類以上混合した樹脂などを用いることができる。
【００２６】
また、パイル１３の太さとしては３８０ｄ以上で、好ましくは６００ｄ以上がよい。これにより、シートのクッション材として使用されるネット材１０に加わる着座者の荷重を各メッシュ層１１，１２を構成するメッシュの変形とパイル１３の倒れによって支持することができ、応力集中の起きない柔構造とすることができる。
【００２７】
参考のため、表１に、ネット材１０として採用可能な材料の例及びそれらの物性値をいくつか示す。
【００２８】
【表１】
0004245232.tif 000002
【００２９】
表１において、「ｄ」はデニールを表し、１ｄは１グラムの糸を９，０００ｍ引っ張ったときの太さの単位であり、例えば、２２０ｄは１グラムの糸を９，０００／２１０＝４２．９ｍ引っ張ったときの太さの糸である。「ｆ」はフィラメントを表し、糸が何本の細い糸で構成されているかを示す単位で、例えば、７０ｆは７０本の細い糸で１本の糸を構成していることを意味する。引張強度の「kg/5cm」は、５ｃｍ幅のものを引っ張ったときの強度である。パイル組織の「パラレル」は表面メッシュ層１１と裏面メッシュ層１２とを連結するパイル１３が側面から見て交差していない状態をいい、「クロス」とは側面から見て交差している状態をいう。
【００３０】
次に、上記したネット材１０の周縁の端末部１５（図７参照）を係止する被係止部材である端末部係止部材２０の構造を図４及び図５に基づき説明する。この端末部係止部材２０は、シート等の構造体を構成するパイプ材等からなるフレーム３０の外面に、該フレーム３０に沿ってスポット溶接やボルトなどを用いて固着される。端末部係止部材２０は、ネット材１０の端末部１５を挿入し得る挿入用間隙２１を備えたものであればどのようなものであってもよい。
【００３１】
図４（ａ）及び図５（ａ）に示した端末部係止部材２０は、フレーム３０の外面に沿って接合可能な湾曲面を備えた基片２２と、この基片２２の上部から下方に向かって屈曲され、該基片２２に対して間隙を隔てて対面する係止片２３とを有している。そして、この基片２２と係止片２３との間の間隙が挿入用間隙２１となる。また、係止片２３には、下部を連結した状態で切り込みを入れた後、該挿入用間隙２１内に突出するように折り込まれた爪部２３ａが所定間隔ごとに形成されている。なお、爪部２３ａの幅は限定されるものではなく、適宜に決定することができる。
【００３２】
図４（ｂ）及び図５（ｂ）に示した端末部係止部材２０は、フレーム３０の外面に沿って接合可能な湾曲面を備えた基片２２と、この基片２２の下端部から外方に突出するように屈曲された突出片２４と、この突出片２４の外端縁から下向きにフレーム３０の外面と略平行となるように屈曲させた係止片２３とを備え、この係止片２３の内面とフレーム３０との外面との間に挿入用間隙２１が形成される。係止片２３の内面には、挿入用間隙２１に向かって斜め上方に向かって突出する爪部２３ａが形成されている。この爪部２３ａの幅、すなわち、この爪部２３ａにおける係止片２３の長手方向に沿った長さも限定されるものではなく、図に示したように係止片２３の長さ全体に亘って形成してもよいし、部分的に形成してもよい。
【００３３】
図４（ｃ）及び図５（ｃ）に示した端末部係止部材２０は、フレーム３０の外面に沿って接合可能な湾曲面を備えた基片２２と、この基片２２の上部から下方に向かって屈曲された係止片２３と、係止片２３の下端縁から内方に向かって突出するよう屈曲されることにより形成された爪部２３ａとを有して構成される。なお、係止片２３と、これに対面する基片２２との間の間隙が挿入用間隙２１となることは図４（ａ）及び図５（ａ）に示したものと同様である。
【００３４】
図４（ｄ）に示した端末部係止部材２０は、フレーム３０の外面に沿って接合可能な湾曲面を備えた基片２２と、この基片２２の下端部から外方に突出するように屈曲された突出片２４と、この突出片２４の外端縁から下向きにフレーム３０の外面と略平行となるように屈曲させた係止片２３とを備え、この係止片２３の内面とフレーム３０との外面との間に挿入用間隙２１が形成される。また、係止片２３の中途にはハンマリング等によるかしめ手段により挿入用間隙２１に向かって突出する爪部２３ａが形成されている。
【００３５】
端末部係止部材２０は、ネット材１０を係止片２３の外面に沿うように配設した場合に、挿入用間隙２１に対し、端末部１５を内側に折り曲げて挿入できるような向きにその挿入口２１ａが形成されていればよい。すなわち、ネット材１０に荷重が加わると、該ネット材１０の端末部１５は荷重が加わった点に向かって引っ張られるが、その際に、端末部１５が係止片２３の内面に当接して、挿入用間隙２１から抜け出ないような向きに挿入口２１ａが位置するように形成されていればよい。例えば、図５（ａ）〜（ｃ）に示したように、ネット材１０がフレーム３０の外面上部を通過して張設される場合には、該ネット材１０における端末部１５に隣接する部分を係止片２３の外面に沿わせた後、下側から端末部１５を挿入できるように、挿入用間隙２１の挿入口２１ａは下向きに設けられる。端末部係止部材２０の構造は、挿入用間隙２１に対して端末部１５を上記のように挿入できるように取り付け可能である限り、いかなる形状であってもよく、図４及び図５に示した例に限定されるものではない。
【００３６】
次に、上記の端末部係止部材２０の挿入用間隙２１に挿入されて係止されるネット材１０の端末部１５の処理方法について説明する。上記したように、本実施の形態においては、端末部係止部材２０の挿入用間隙２１に挿入し、荷重によるテンションが加わった場合に係止片２３に当接した状態で係止されている必要がある。従って、ネット材１０は、そのうち荷重がかかる部分、例えば、シートとして用いた場合には人が着座する部分については十分なクッション性が要求される一方で、端末部１５はある程度硬くなっている必要がある。
【００３７】
端末部１５を硬く処理する方法としては次のような方法が挙げられる。第１の方法は、熱溶着手段を施して厚みを薄くすることにより高密度化して、剛性を上げる手段である。すなわち、熱溶着により、パイル１３同士、表面メッシュ層１１とパイル１３、裏面メッシュ層１２とパイル１３、あるいは表面メッシュ層１１と裏面メッシュ層１２を相互に接合して厚みを薄くする。これによって、端末部１５がほぼ板状形態となって空隙が小さくなってクッション性がほとんどなくなり、剛性が高くなる。但し、図７に示したように、上記したネット材１０を編み込み形成する際に、端末部１５に相当する部位のみ、ネット組織の密度が、他の部位よりも密になるように編み込んでおき、次に、この端末部１５に熱溶着手段を施して厚みを薄くすることが好ましい。ネット材１０を編む際に予め端末部１５に相当する部位のネット組織の密度が密となるように編み込むのは、このようにして端末部１５の厚みを薄く処理すると、表面メッシュ層１１、裏面メッシュ層１２及びパイル１３の接合密度がより密になり、より高い剛性を実現できるからである。
【００３８】
この際、本実施の形態では、図５及び図６に示したように、該端末部１５の少なくとも片面において厚み方向に突出する突起１５ａを長手方向に沿って形成している。この突起１５ａの突出方向、形状及び形成数は限定されるものではなく、図６（ａ）〜（ｃ）に示したように種々の態様とすることができる。そして、本実施の形態では、図５に示したように、この突起１５ａが端末部係止部材２０に形成された爪部２３ａよりも奥に位置するまで、該端末部１５を挿入用間隙２１内に挿入している。これにより、ネット材１０にテンションがかかり該端末部１５が挿入用間隙２１から離脱する方向に引っ張られても、突起１５ａが爪部２３ａに引っかかって、容易に抜けてしまうことが防止される。
【００３９】
なお、端末部１５に相当する部位のネット組織の密度が密となるように編み込む手段は限定されるものではなく種々の手段が考えられるが、例えば、パイル１３の表面メッシュ層１１及び裏面メッシュ層１２に対する編み込み間隔を、該端末部１５より内側における編み込み間隔よりも小さくして隣接するパイル１３間の間隔を短くする手段、表面メッシュ層１１及び／又は裏面メッシュ層１２のメッシュの大きさが端末部１５に相当する部位のみ小さくなるように編み込む手段、端末部１５に相当する表面メッシュ層１１、裏面メッシュ層１２及び／又はパイル１３を形成する繊維（モノフィラメント）の太さを太くする手段、端末部１５に相当する表面メッシュ層１１、裏面メッシュ層１２及び／又はパイル１３を糸（多層又は撚り繊維）から形成する手段、又は、これらの手段を適宜に組み合わせて行う手段等が挙げられる。
【００４０】
また、熱溶着手段としては、ヒートシール、超音波溶着、振動溶着等の手段が挙げられるが、三次元構造のネット材１０を確実に溶着し、高密度で薄型にするに当たっては振動溶着が適切である。
【００４１】
端末部１５を剛性が高くなるように処理する第２の方法としては、図８に示したように、該端末部１５に相当する幅及び長さを有するように形成された板状の合成樹脂片１６を、該端末部１５に積層し、両者を上記した振動溶着等の熱溶着手段により固着する方法が挙げられる。この場合も、該端末部１５は、表面メッシュ層１１、裏面メッシュ層１２及び／又はパイル１３が互いに接合して空隙が少なくなり、薄く板状になると共に、合成樹脂片１６が固着されているため、被係止部材に確実に係止させることが可能になる。
【００４２】
ここで、図７は、製造されたネット材１０を模式的に示す平面図であるが、このように、長尺に編まれたネット材１０は、想像線で示したように、所望の形、例えば、シート用のクッション材として使用する場合には、当該シートを形成するフレームに張設できるような形状にカットされる。この際、例えば、製造されたネット材１０の幅が大きく、シート用のクッション材として２枚とれる場合には、幅方向中央から分断されるため、いずれも一方の端末部１５は予めネット組織の密度が密になっているが、対向する他方の端末部１５’（すなわち、分断ラインＣに隣接した部位）のネット組織は密になっていない。従って、この場合には、各他方の端末部１５’を処理するに当たっては、上記の合成樹脂片１６を接合して振動溶着する手段が採用される。
【００４３】
このように、一方の端末部１５が、ネット組織を密にして振動溶着する上記第１の方法により処理され、他方の端末部１５’が、合成樹脂片１６を振動溶着する上記第２の方法により処理されている場合、端末部係止部材２０の挿入用間隙２１に挿入した際に合成樹脂片１６の固着されている端末部１５’の方が変形しにくく、抜けにくい。従って、このような構成の場合には、荷重により係止片２３に発生する応力の小さい側に配設された端末部係止部材２０に上記第１の方法により処理された端末部１５を係止させ、荷重により係止片２３に発生する応力の大きい側に配設された端末部係止部材２０に上記第２の方法により処理された端末部１５’を係止させることが好ましい。
【００４４】
例えば、車両用シートのシートクッション部を構成するクッション材として上記のネット材１０を張設する場合には、図１０に示したように前方に位置するフレーム３１に取り付けた端末部係止部材２０と後方に位置するフレーム３２に取り付けた端末部係止部材２０との間にネット材１０が張設されるが、このネット材１０に着座する人体のヒップポイント（ＨＰ）が後方寄りである。このため、人が着座することによる端末部係止部材２０の係止片２３の応力は、前方に位置するフレーム３１に取り付けられたものよりも後方に位置するフレーム３２に取り付けられたものの方が大きくなる。従って、この場合には、前方に位置するフレーム３１に取り付けられた端末部係止部材２０に、上記第１の方法により処理された端末部１５を、その突起１５ａが該端末部係止部材２０の爪部２３ａに係合するように係止させ、後方に位置するフレーム３２に取り付けられた端末部係止部材２０に、上記第２の方法により処理された端末部１５’を、接合された合成樹脂片１６の下端縁が該端末部係止部材２０の爪部２３ａに係合するように係止させることが好ましい。
【００４５】
なお、合成樹脂片１６を振動溶着する上記第２の方法により処理されている場合には、上記のように端末部係止部材２０の挿入用間隙２１に挿入した際に抜けにくい。従って、この場合の被係止部材である端末部係止部材２０としては、図９に示したように、挿入用間隙２１内に突出する爪部を有しない構造のものでもよい。
【００４６】
ネット材１０の端末部は、本実施の形態の構造体を上記のように車両用シートとして用いる場合には、上記のように第１の方法により処理した端末部１５と第２の方法により処理した端末部との組み合わせであることが好ましい。これは、前方に位置するフレーム３１のコーナー部が通常曲成されてアールがつけられているため、合成樹脂片１６を固着したのでは取り付けにくいことと、上記のように前方に位置するフレーム３１に取り付けられた端末部係止部材２０に発生する応力が小さいからである。しかしながら、他の構造体の場合には必ずしもこのような構成とする必要はなく、全ての端末部を上記の第１の方法により処理したり、逆に、全ての端末部を上記の第２の方法により処理したりすることもできる。
【００４７】
また、本実施の形態の構造体を車両用シートとして用いる場合、ネット材１０の両サイドの端末部１７（図７参照）を、シートクッション部を構成するサイドフレーム（図示せず）に固定する必要がある。この場合には、図４に示したような端末部係止部材２０をこのサイドフレームに沿って取り付けておき、両サイドの端末部１７を、振動溶着等の熱溶着手段を用いて、厚みを薄くすることによって剛性を高くすると共に、少なくとも片面に突出する突起を形成して係止する。両サイドの端末部１７は、ネット組織が密に構成されていないが、振動溶着等により厚みを薄くすることにより板状体となって剛性が高くなり、サイドフレームに配設した端末部係止部材２０にかかる応力との関係から、挿入用間隙から外れることのない程度に剛性を高くすることができる。
【００４８】
本実施の形態によれば、三次元構造のネット材の端末部１５，１５’，１７が上記のように振動溶着等の熱溶着手段によって該端末部１５，１５’，１７よりも内側に位置する部位よりクッション性がなく剛性が高くなるように処理されている。従って、構造体を構成するフレーム３０に、被係止部材としての端末部係止部材２０を挿入用間隙２１の挿入口２１ａが上記した特定の向きとなるように設けておけば、該挿入用間隙２１に端末部１５，１５’，１７を挿入するだけで係止することができる。また、上記のように処理された端末部１５，１５’，１７は、その全ての部位が挿入用間隙２１に挿入されており、荷重がかかった場合には特定のスポット的な部位ではなく、面で係止片２３に力が加わることになる。従って、従来のように特定の部位に無理な力がかかることによるネット材１０の損傷を防止することができる。また、特に構造体のコーナー部に張設した場合など、従来のような点締結ではネット材が波打ち、しわが生じたりすることがあったが、本実施の形態によれば、このようなしわが発生することがなく、外観を損なうこともない。
【００４９】
なお、本発明は上記実施の形態に限定されるものではないことはもちろんである。上記説明では三次元構造のネット材１０を用いた構造体を主として車両用のシートに適用する場合を例にとり説明しているが、学習机や事務机などに使用される家具用の椅子、映画館等における座席シート、またシートに限らずその他の構造体に適用することもできる。
【００５０】
また、被係止部材である端末部係止部材２０として、図１１（ａ）に示したように、基片２２に、挿入用間隙２１内へ突出する爪部２２ａを形成したものを用いることもできる。図１１（ｂ）に示したように、ネット材１０の端末部１５の突部１５ａの突出方向をこれに合わせて形成しておけば、該端部１５ａの逃げ方向に爪部２２ａが位置することになるため、両者の係合がより強固となる。また、挿入用間隙２１内へ突出する爪部を基片２２と係止片２３の両方に設けることも可能である。
【００５１】
【発明の効果】
本発明の三次元構造のネット材を用いた構造体、この構造体からなるシート及びネット材の端末部処理方法によれば、従来のスクリューねじを用いた場合のような点締結ではないため、ネット材に局部的な無理が生じることを防止し、ネット材の信頼性を高めることができる。また、被係止部材である端末部係止部材の挿入用間隙に端末部を挿入するだけでネット材を張設できるため、組み付け作業が容易で、作業コストも従来より低くすることができる。
【図面の簡単な説明】
【図１】図１は、本発明の一の実施の形態に構造体を構成するネット材を示す断面図である。
【図２】図２は、図１に示したネット材の表面メッシュ層を示す拡大図である。
【図３】図３は、図１に示したネット材の裏面メッシュ層を示す拡大図である。
【図４】図４は、上記実施の形態にかかる構造体で使用される端末部係止部材の例を示す図である。
【図５】図５は、図４で示した端末部係止部材にネット材の端末部を係止した状態を示す図である。
【図６】図６は、第１の方法により端末部を処理した状態を示す図である。
【図７】図７は、ネット材を模式的に示す平面図である。
【図８】図８は、第２の方法により端末部を処理した状態を示す図である。
【図９】図９は、第２の方法により処理した端末部を端末部係止部材に係止した状態を示す図である。
【図１０】図１０は、上記実施の形態の構造体をシートに採用した場合を説明するための図である。
【図１１】図１１は、端末部係止部材の他の例を説明するための図である。
【図１２】図１２は、ネット材の端末部を固定する従来の方法を説明するための図である。
【符号の説明】
１０  ネット材
１１  表面メッシュ層
１２  裏面メッシュ層
１３  パイル
１５，１５’，１７  端末部
１６  合成樹脂片
２０  端末部係止部材
２１  挿入用間隙
２３  係止片
３０，３１，３２  フレーム
【図１】
0004245232.tif 000003
【図２】
0004245232.tif 000004
【図３】
0004245232.tif 000005
【図４】
0004245232.tif 000006
【図５】
0004245232.tif 000007
【図６】
0004245232.tif 000008
【図７】
0004245232.tif 000009
【図８】
0004245232.tif 000010
【図９】
0004245232.tif 000011
【図１０】
0004245232.tif 000012
【図１１】
0004245232.tif 000013
【図１２】
0004245232.tif 000014